(57)【要約】【課題】  ユーザーの光ディスク使用パターン、類型別の光ディスクの使用頻度及び使用時点を考慮して、光ディスクの類型判別順序を可変させることによって、ローディングされた光ディスクの類型をさらに迅速に判別できる光ディスクの類型判別方法及びそのデータ記録及び／または再生装置を提供する。【解決手段】  データ記録及び／または再生装置に含まれたメモリに保存された、ローディングされた光ディスクが複数の光ディスク類型のうち、どの類型に該当するかを判別するために、光ディスクの類型判別の優先順位を読み出すステップ、及び優先順位によって、データ記録及び／または再生装置の書き込み／読み出し部を制御して、光ディスクの類型を判別するステップを含むことを特徴とする光ディスクの類型判別方法である。【選択図】      図２
2006054038.tif 000002
【特許請求の範囲】
【請求項１】
相異なる類型の光ディスクへ／からのデータ記録及び／または再生が可能なデータ記録及び／または再生装置において、
現在ローディングされた光ディスクに／からデータを書き込み及び／または読み出す書き込み／読み出し部と、
前記光ディスクが複数の光ディスクの類型のうち、どの類型に該当するかを判別するための光ディスクの類型判別の優先順位を保存したメモリと、
前記メモリに保存された前記優先順位によって、前記書き込み／読み出し部を制御して前記光ディスクの類型を判別し、前記光ディスクの判別された類型に基づいて前記優先順位を更新する制御部とを備えることを特徴とする装置。
【請求項２】
前記制御部は、前記光ディスクの類型を判別した後、前記光ディスクの類型が最も高い順位となるように前記メモリに保存された前記優先順位を更新することを特徴とする請求項１に記載の装置。
【請求項３】
前記メモリは、不揮発性メモリであることを特徴とする請求項１に記載の装置。
【請求項４】
データ記録及び／または再生装置にローディングされた光ディスクの類型を判別する方法において、
前記データ記録及び／または再生装置に含まれたメモリに保存された前記光ディスクが複数の光ディスクの類型のうち、どの類型に該当するかを判別するために、光ディスクの類型判別の優先順位を読み出すステップと、
前記優先順位によって、前記データ記録及び／または再生装置の書き込み／読み出し部を制御して、前記光ディスクの類型を判別するステップと、
前記光ディスクの判別された類型に基づいて前記優先順位を更新するステップとを含むことを特徴とする方法。
【請求項５】
前記優先順位を更新するステップは、
前記光ディスクの類型を判別した後、前記光ディスクの類型が最も高い順位となるように前記メモリに保存された前記優先順位を更新することを特徴とする請求項４に記載の方法。
【請求項６】
前記メモリは、不揮発性メモリであることを特徴とする請求項４に記載の方法。
【請求項７】
相異なる類型の光ディスクへ／からのデータ記録及び／または再生が可能なデータ記録及び／または再生装置において、
現在ローディングされた光ディスクに／からデータを書き込み及び／または読み出す書き込み／読み出し部と、
光ディスクの類型別にローディングされた頻度、及び前記ローディングされた頻度に基づいて光ディスクの類型判別の優先順位を保存したメモリと、
前記メモリに保存された前記優先順位によって、前記書き込み／読み出し部を制御して前記ローディングされた光ディスクの類型を判別する制御部とを備えることを特徴とする装置。
【請求項８】
前記制御部は、前記ローディングされた光ディスクの類型を判別した後、前記メモリに保存された前記ローディングされた頻度及び前記優先順位を更新することを特徴とする請求項７に記載の装置。
【請求項９】
前記メモリは、不揮発性メモリであることを特徴とする請求項７に記載の装置。
【請求項１０】
データ記録及び／または再生装置にローディングされた光ディスクの類型を判別する方法において、
前記データ記録及び／または再生装置に含まれたメモリに保存された、光ディスクの類型別にローディングされた頻度に基づいた光ディスクの類型判別の優先順位を読み出すステップと、
前記優先順位によって、前記データ記録及び／または再生装置の書き込み／読み出し部を制御して、ローディングされた光ディスクの類型を判別するステップとを含むことを特徴とする方法。
【請求項１１】
前記ローディングされた光ディスクの類型を判別した後、前記メモリに保存された前記ローディング頻度及び前記優先順位を更新するステップをさらに含むことを特徴とする請求項１０に記載の方法。
【請求項１２】
前記メモリは、不揮発性メモリであることを特徴とする請求項１０に記載の方法。
【請求項１３】
相異なる類型の光ディスクへ／からのデータ記録及び／または再生が可能なデータ記録及び／または再生装置において、
現在ローディングされた光ディスクに／からデータを書き込み及び／または読み出す書き込み／読み出し部と、
最近に使われた光ディスクであるほど高い加重値が付与された光ディスク使用来歴に関する情報、及び前記光ディスク使用来歴に関する情報に基づいて決定された光ディスクの類型判別の優先順位を保存したメモリと、
前記メモリに保存された前記優先順位によって、前記書き込み／読み出し部を制御して前記ローディングされた光ディスクの類型を判別する制御部とを備えることを特徴とする装置。
【請求項１４】
前記制御部は、前記ローディングされた光ディスクの類型を判別した後、前記メモリに保存された前記光ディスク使用来歴に関する情報及び前記優先順位を更新することを特徴とする請求項１３に記載の装置。
【請求項１５】
前記メモリは、不揮発性メモリであることを特徴とする請求項１３に記載の装置。
【請求項１６】
データ記録及び／または再生装置にローディングされた光ディスクの類型を判別する方法において、
前記データ記録及び／または再生装置に含まれたメモリに保存された、最近に使われた光ディスクであるほど高い加重値が付与された光ディスク使用来歴に関する情報に基づいて決定された光ディスクの類型判別の優先順位を読み出すステップと、
前記優先順位によって、前記データ記録及び／または再生装置の書き込み／読み出し部を制御して、ローディングされた光ディスクの類型を判別するステップとを含むことを特徴とする方法。
【請求項１７】
前記ローディングされた光ディスクの類型を判別した後、前記メモリに保存された前記光ディスク使用来歴に関する情報及び前記優先順位を更新するステップをさらに含むことを特徴とする請求項１６に記載の方法。
【請求項１８】
前記メモリは、不揮発性メモリであることを特徴とする請求項１６に記載の方法。
【請求項１９】
データ記録及び／または再生装置にローディングされた光ディスクの類型を判別する方法を実現させるためのプログラムを記録したコンピュータで読み取り可能な記録媒体において、
前記光ディスクの類型を判別する方法は、
前記データ記録及び／または再生装置に含まれたメモリに保存された、前記光ディスクが複数の光ディスクの類型のうち、どの類型に該当するかを判別するために光ディスクの類型判別の優先順位を読み出すステップと、
前記優先順位によって、前記データ記録及び／または再生装置の書き込み／読み出し部を制御して、前記光ディスクの類型を判別するステップと、
前記光ディスクの判別された類型に基づいて、前記優先順位を更新するステップとを含むことを特徴とする記録媒体。
【請求項２０】
データ記録及び／または再生装置にローディングされた光ディスクの類型を判別する方法を実現させるためのプログラムを記録したコンピュータで読み取り可能な記録媒体において、
前記光ディスクの類型を判別する方法は、
前記データ記録及び／または再生装置に含まれたメモリに保存された、光ディスクの類型別にローディングされた頻度に基づいた光ディスクの類型判別の優先順位を読み出すステップと、
前記優先順位によって、前記データ記録及び／または再生装置の書き込み／読み出し部を制御して、ローディングされた光ディスクの類型を判別するステップとを含むことを特徴とする記録媒体。
【請求項２１】
データ記録及び／または再生装置にローディングされた光ディスクの類型を判別する方法を実現させるためのプログラムを記録したコンピュータで読み取り可能な記録媒体において、
前記光ディスクの類型を判別する方法は、
前記データ記録及び／または再生装置に含まれたメモリに保存された、最近に使われた光ディスクであるほど高い加重値が付与された光ディスク使用来歴に関する情報に基づいて決定された光ディスクの類型判別の優先順位を読み出すステップと、
前記優先順位によって、前記データ記録及び／または再生装置の書き込み／読み出し部を制御して、ローディングされた光ディスクの類型を判別するステップとを含むことを特徴とする記録媒体。
【請求項２２】
相異なる類型のディスクを使用できるデータ記録及び／または再生装置において、
現在ローディングされた光ディスクに／からデータを書き込み及び／または読み出す書き込み／読み出し部と、
以前にローディングされたディスク類型を表す情報、及び前記情報に基づいてディスク類型判別の優先順位を保存したメモリと、
前記メモリに保存された前記優先順位によって、前記現在ローディングされたディスク類型を判別し、前記現在ローディングされたディスクの判別された前記類型に基づいて前記情報を更新する制御部とを備えることを特徴とする装置。
【請求項２３】
光ディスクが前記装置にローディングされることを特徴とする請求項２２に記載の装置。
【請求項２４】
前記情報は、
以前にローディングされたディスク類型情報と、
各類型別のディスクのローディングされた頻度と、
各類型別のディスクの使用記録とを備えることを特徴とする請求項２２に記載の装置。
【請求項２５】
前記使用記録は、前記各類型別のディスクのローディングされた頻度に基づいて作成され、所定頻度に加重値が割り当てられたことを特徴とする請求項２４に記載の装置。
【請求項２６】
ディスク類型判別の優先順位が保存されたデータ記録及び／または再生装置に現在ローディングされたディスク類型を判別する方法において、
前記優先順位から高い優先順位のディスク類型を読み出すステップと、
前記現在ローディングされたディスク類型が、前記読み出された高い優先順位のディスク類型と一致するか否かをテストするステップと、
もし、前記現在ローディングされたディスク類型が前記高い優先順位のディスク類型と一致しなければ、前記優先順位から次に高い優先順位のディスク類型を読み出し、前記現在ローディングされたディスク類型が、前記次に高い優先順位のディスク類型と一致するか否かを再びテストするステップと、
前記現在ローディングされたディスクの判別された類型に基づいて、前記優先順位を更新するステップとを含むことを特徴とする方法。
【請求項２７】
以前にローディングされたディスク類型に関する情報に基づいて、複数のディスク類型に優先順位を割り当てるステップをさらに含むことを特徴とする請求項２６に記載の方法。
【請求項２８】
以前にローディングされたディスク類型を記述するステップと、
前記以前にローディングされたディスクのディスク類型別のローディングされた頻度を決定するステップと、
各類型別のディスクの使用記録を記録するステップと、を含み、
前記以前にローディングされたディスク類型に関する情報は、
前記以前にローディングされたディスク類型に関する説明と、
前記決定された頻度と、
前記記録された使用記録とを備えることを特徴とする請求項２７に記載の方法。
【請求項２９】
前記使用記録を記録するステップは、
前記以前にローディングされたディスクのディスク類型別のローディングされた頻度を決定するステップと、
所定頻度に加重値を割り当てるステップと、
前記割り当てられた加重値に基づいて前記使用記録を記録するステップとを含むことを特徴とする請求項２８に記載の方法。
【請求項３０】
前記優先順位を更新するステップは、前記現在ローディングされたディスク類型に高い優先順位を割り当てるステップを含むことを特徴とする請求項２６に記載の方法。
【請求項３１】
前記優先順位を更新するステップは、前記現在ローディングされたディスクの直前にローディングされたディスク類型に、次に高い優先順位を割り当てるステップを含むことを特徴とする請求項３０に記載の方法。
【請求項３２】
ディスク類型判別の優先順位が保存されたデータ記録及び／または再生装置に、現在ローディングされたディスク類型を判別する方法を実現させるためのプログラムを記録したコンピュータで読み取り可能な記録媒体において、
前記方法は、
前記優先順位から高い優先順位のディスク類型を読み出すステップと、
前記現在ローディングされたディスク類型が、前記読み出された高い優先順位のディスク類型と一致するか否かをテストするステップと、
もし、前記現在ローディングされたディスク類型が前記高い優先順位のディスク類型と一致しなければ、前記優先順位から次に高い優先順位のディスク類型を読み出し、前記現在ローディングされたディスク類型が、前記次に高い優先順位のディスク類型と一致するか否かを再びテストするステップと、
前記現在ローディングされたディスクの判別された類型に基づいて、前記優先順位を更新するステップとを含むことを特徴とする記録媒体。
【発明の詳細な説明】
【技術分野】
【０００１】
本発明は、光ディスクの類型判別方法及びデータ記録及び／または再生装置に関する。
【背景技術】
【０００２】
情報を保存する情報記録媒体としては、フロッピー（登録商標）ディスク及びハードディスクのような磁気ディスク、磁気テープ、ＲＯＭやＲＡＭのような半導体メモリチップ及びレーザーを利用してデータを記録する光ディスクなど多様な類型がある。
【０００３】
このような情報記録媒体のうち光ディスクは、関連技術の発展により情報保存容量が急増し、比較的低コストであるので、非常に広範囲に使われている。光ディスクは、情報保存容量によってＣＤ、ＤＶＤ及び次世代ディスクであるＢＤ（ブルーレイディスク）など多様な類型のディスクが存在する。
【０００４】
一般的に、一つのデータ記録及び／または再生装置を利用して、多様な類型の光ディスクに／からデータを記録及び／または再生できる。データ記録及び／または再生装置に光ディスクがローディングされれば、データ記録及び／または再生装置は、ローディングされた光ディスクの類型を判別する。ローディングされた光ディスクの類型は、光ディスクのリードイン領域に記録されたデータを再生することによって確実に分かるが、データ記録及び／または再生装置は、ローディングされた光ディスクの類型を分かる前には、データを再生できない。したがって、従来技術によれば、既定の光ディスクの判別順序によって光ディスクの類型を判断する。例えば、データ記録及び／または再生装置の製作者により、既定の光ディスクの判別順序がＢＤ、ＤＶＤ及びＣＤの順序と仮定すれば、データ記録及び／または再生装置は、ローディングされた光ディスクがＢＤであるか否かを判断する。データ記録及び／または再生装置は、ローディングされた光ディスクがＢＤであるか否かを判断するために、ＢＤに対応するレーザーダイオードのパワー値などの各種データを設定する。次いで、レーザーを光ディスクに照射させ、対物レンズをアップ／ダウンさせつつ得た信号に基づいてローディングされた光ディスクがＢＤであるか否かを判断する。
【０００５】
しかし、ＢＤではないと判断されれば、次にＤＶＤであるか否かを判断する。ＤＶＤであるか否かを判断するために、前記の過程と同様に、データ記録及び／または再生装置は、ＤＶＤに対応するレーザーダイオードのパワー値などの各種データを設定した後、レーザーを光ディスクに照射させ、対物レンズをアップ／ダウンさせつつ得た信号に基づいてローディングされた光ディスクがＤＶＤであるか否かを判断する。ＤＶＤではないと判断されれば、ローディングされたディスクがＣＤであるか否かを判断する。ＣＤではないと判断されれば、未知のディスクまたはディスクではないと最終判断する。
【０００６】
前述したように、従来技術によれば、光ディスクがデータ記録及び／または再生装置にローディングされれば、既定の順序によって、光ディスクの類型判別過程が進められる。したがって、前述した例の場合のように、判別の優先順位がＢＤ、ＤＶＤ及びＣＤの順序である場合、ユーザーがＣＤをローディングさせたときのデータ記録及び／または再生装置の初期化時間は、ＢＤ及びＤＶＤをローディングさせたときの初期化時間に比べて常に長くなる。初期化時間とは、データ記録及び／または再生装置に電源が印加された後、ローディングされた光ディスクについての情報を得て光ディスクの使用のための準備過程の間にかかる時間をいう。
【特許文献１】日本特許公開特願平９−１２８８７９号公報
【発明の開示】
【発明が解決しようとする課題】
【０００７】
本発明が解決しようとする課題は、ローディングされた光ディスクの類型をさらに迅速に判別することによって、光ディスクの使用のための初期化時間を短縮できるデータ記録及び／または再生装置を提供するところにある。
【０００８】
本発明が解決しようとする他の課題は、ローディングされた光ディスクの類型をさらに迅速に判別することによって、光ディスクの使用のための初期化時間を短縮できる光ディスクの類型判別方法を提供するところにある。
【課題を解決するための手段】
【０００９】
前記課題を解決するための本発明の一側面によるデータ記録及び／または再生装置は、相異なる類型の光ディスクへ／からのデータ記録及び／または再生が可能なデータ記録及び／または再生装置において、現在ローディングされた光ディスクに／からデータを書き込み及び／または読み出す書き込み／読み出し部と、前記光ディスクが複数の光ディスクの類型のうち、どの類型に該当するかを判別するための光ディスクの類型判別の優先順位を保存したメモリと、及び前記メモリに保存された前記優先順位によって、前記書き込み／読み出し部を制御して前記光ディスクの類型を判別し、前記光ディスクの判別された類型に基づいて前記優先順位を更新する制御部とを備えることを特徴とする。
【００１０】
前記課題を解決するための本発明の他の側面によるデータ記録及び／または再生装置は、相異なる類型の光ディスクへ／からのデータ記録及び／または再生が可能なデータ記録及び／または再生装置において、現在ローディングされた光ディスクに／からデータを書き込み及び／または読み出す書き込み／読み出し部と、光ディスクの類型別にローディングされた頻度、及び前記ローディングされた頻度に基づいて光ディスクの類型判別の優先順位を保存したメモリと、前記メモリに保存された前記優先順位によって、前記書き込み／読み出し部を制御して前記ローディングされた光ディスクの類型を判別する制御部とを備えることを特徴とする。
【００１１】
前記課題を解決するための本発明のさらに他の側面によるデータ記録及び／または再生装置は、相異なる類型の光ディスクへ／からのデータ記録及び／または再生が可能なデータ記録及び／または再生装置において、現在ローディングされた光ディスクに／からデータを書き込み及び／または読み出す書き込み／読み出し部と、最近に使われた光ディスクであるほど高い加重値が付与された光ディスク使用来歴に関する情報、及び前記光ディスク使用来歴に関する情報に基づいて決定された光ディスクの類型判別の優先順位を保存したメモリと、前記メモリに保存された前記優先順位によって、前記書き込み／読み出し部を制御して前記ローディングされた光ディスクの類型を判別する制御部とを備えることを特徴とする。
【００１２】
前記課題を解決するための本発明のさらに他の側面によるデータ記録及び／または再生装置は、相異なる類型のディスクを使用できるデータ記録及び／または再生装置において、現在ローディングされた光ディスクに／からデータを書き込み及び／または読み出す書き込み／読み出し部と、以前にローディングされたディスク類型を表す情報、及び前記情報に基づいてディスク類型判別の優先順位を保存したメモリと、前記メモリに保存された前記優先順位によって、前記現在ローディングされたディスク類型を判別し、前記現在ローディングされたディスクの判別された前記類型に基づいて前記情報を更新する制御部とを備えることを特徴とする。
【００１３】
前記他の課題を解決するための本発明の一側面によるデータ記録及び／または再生装置にローディングされた光ディスクの類型を判別する方法は、前記データ記録及び／または再生装置に含まれたメモリに保存された前記光ディスクが複数の光ディスクの類型のうち、どの類型に該当するかを判別するために、光ディスクの類型判別の優先順位を読み出すステップと、前記優先順位によって、前記データ記録及び／または再生装置の書き込み／読み出し部を制御して、前記光ディスクの類型を判別するステップと、前記光ディスクの判別された類型に基づいて前記優先順位を更新するステップとを含むことを特徴とする。
【００１４】
前記他の課題を解決するための本発明の他の側面によるデータ記録及び／または再生装置にローディングされた光ディスクの類型を判別する方法は、前記データ記録及び／または再生装置に含まれたメモリに保存された、光ディスクの類型別にローディングされた頻度に基づいた光ディスクの類型判別の優先順位を読み出すステップと、前記優先順位によって、前記データ記録及び／または再生装置の書き込み／読み出し部を制御して、ローディングされた光ディスクの類型を判別するステップとを含むことを特徴とする。
【００１５】
前記他の課題を解決するための本発明のさらに他の側面によるデータ記録及び／または再生装置にローディングされた光ディスクの類型を判別する方法は、前記データ記録及び／または再生装置に含まれたメモリに保存された、最近に使われた光ディスクであるほど高い加重値が付与された光ディスク使用来歴に関する情報に基づいて決定された光ディスクの類型判別の優先順位を読み出すステップと、前記優先順位によって、前記データ記録及び／または再生装置の書き込み／読み出し部を制御して、ローディングされた光ディスクの類型を判別するステップと、を含むことを特徴とする。
【００１６】
前記他の課題を解決するための本発明のさらに他の側面による光ディスクの類型を判別する方法は、ディスク類型判別の優先順位が保存されたデータ記録及び／または再生装置に現在ローディングされたディスク類型を判別する方法において、前記優先順位から高い優先順位のディスク類型を読み出すステップと、前記現在ローディングされたディスク類型が、前記読み出された高い優先順位のディスク類型と一致するか否かをテストするステップと、もし、前記現在ローディングされたディスク類型が前記高い優先順位のディスク類型と一致しなければ、前記優先順位から次に高い優先順位のディスク類型を読み出し、前記現在ローディングされたディスク類型が、前記次に高い優先順位のディスク類型と一致するか否かを再びテストするステップと、前記現在ローディングされたディスクの判別された類型に基づいて、前記優先順位を更新するステップとを含むことを特徴とする。
【発明の効果】
【００１７】
本発明によれば、ユーザーの光ディスク使用パターン、類型別の光ディスクの使用頻度及び使用時点を考慮して、光ディスクの類型判別順序を可変させることによって、ローディングされた光ディスクの類型をさらに迅速に判別できる。ローディングされた光ディスクの類型を迅速に判別することによって、光ディスクの使用のための初期化時間が短縮される。
【発明を実施するための最良の形態】
【００１８】
以下、本発明の一実施形態を、添付された図面を参照して詳細に説明する。
【００１９】
図１は、本発明の一実施形態によるデータ記録及び／または再生装置のブロック図である。図１に示すように、本実施形態による装置は、書き込み／読み出し部１、制御部２及びメモリ３を備える。
【００２０】
書き込み／読み出し部１は、制御部２の制御によってローディングされた光ディスク１００に／からデータを書き込み及び／または読み出す。書き込み／読み出し部１は、光ディスク１００を回転させるスピンドルモータ及びピックアップ（図示せず）を備える。ピックアップは、光を発生させるレーザーダイオード及びレンズなどを備える。
【００２１】
制御部２は、本実施形態によるデータ記録及び／または再生装置の全体動作を制御する。すなわち、書き込み／読み出し部１を制御して光ディスク１００に／からデータを書き込み及び／または読み出した後、所定信号処理を経て読み出されたデータを再生する。さらに、制御部２は、光ディスク１００がローディングされれば、メモリ３に保存された光ディスクの類型判別の優先順位に関する情報を参照して、光ディスク１００の類型を決定する。制御部２は、光ディスク１００の類型を決定した後、メモリ３に保存された優先順位情報を更新する。
【００２２】
別途に図示していないが、制御部２は、光ディスク１００から反射された光をＲＦ信号に変換するＲＦチップ、ＲＦ信号を入力されてチャンネルデコーディング及びエラー訂正などを行うＤＳＰ、フォーカシング及びトラッキングを行うサーボ、ホストとのインターフェースのためのインターフェース及びシステム制御器などを備える。
【００２３】
メモリ３は、光ディスクの類型判別の優先順位に関する情報を保存する。制御部２によりローディングされた光ディスク１００の類型が決定されれば、その優先順位情報は、制御部２により更新される。光ディスクの類型判別の優先順位に関する情報は、メモリ３の特定アドレスに保存される。一方、メモリ３は、データ記録及び／または再生装置に電源が供給されなくてもデータを保存し続けねばならないので、不揮発性メモリであることが望ましい。
【００２４】
以下、図１に示したデータ記録及び／または再生装置により行われる本発明の一実施形態による光ディスク類型の判別方法について説明する。
【００２５】
図２は、本発明の一実施形態による光ディスク類型の決定方法のフローチャートである。
【００２６】
データ記録及び／または再生装置に光ディスク１００がローディングされれば（Ｓ２１０）、制御部２は、メモリ３に保存された光ディスクの類型判別の優先順位に関する情報を読み出す（Ｓ２３０）。その光ディスクの類型判別の優先順位に関する情報は、現在ローディングされた光ディスク１００以前に使われた光ディスクの類型に基づいてアップデートされたものである。
【００２７】
制御部２は、メモリ３から読み出した前記優先順位情報によってローディングされた光ディスク１００の類型を判別する（Ｓ２５０）。
【００２８】
図３は、光ディスク１００類型の判別過程の一例を示すフローチャートである。メモリ３から読み出した光ディスクの類型判別の優先順位が図４Ａに示すように、ＤＶＤ、ＢＤ及びＣＤの順序である場合、まず制御部２は、ローディングされた光ディスク１００をＤＶＤと仮定し、ＤＶＤであるか否かを先に判断する。
【００２９】
すなわち、光ディスク１００がＤＶＤであるか否かを判断するために、各種データをセッティングする（Ｓ２５１）。セッティングされねばならないデータは、ＤＶＤに対応するレーザーダイオードのパワー値及びピックアップの位置調整などのための各種データである。データセッティング後、ＤＤＴ（Ｄｉｓｃ  ＤｅＴｅｃｔｉｏｎ）過程が行われる（Ｓ２５２）。ＤＤＴ過程は、レーザーを光ディスク１００に照射させ、対物レンズをアップ／ダウンさせつつ得た信号に基づいて行われる。
【００３０】
ＤＤＴ結果によって、ローディングされた光ディスク１００がＤＶＤ系列のディスクであるか否かを判断して（Ｓ２５３）、ローディングされた光ディスク１００がＤＶＤ系列のディスクであれば、ＤＶＤに関連した細部ＤＤＴを行う（Ｓ２５４）。細部ＤＤＴは、どの類型のＤＶＤであるか、すなわち再記録可能なＤＶＤであるか、または再生専用のＤＶＤであるかを判断する過程をいう。さらに、光ディスク１００のリードイン領域に記録された情報を読み出して、光ディスク１００の使用のための初期化過程を終了するステップに該当する。
【００３１】
もし、ローディングされた光ディスク１００がＤＶＤ系列のディスクではないと判断されれば、光ディスク判別のための優先順位によって次にＢＤであるか否かを判断する。前述したステップ２５１ないしステップ２５４と同様に、制御部２は、ローディングされた光ディスク１００をＢＤと仮定し、各種データをセッティングした後、レーザーダイオードオン及びＢＤ  ＤＤＴを行う（Ｓ２５５，Ｓ２５６）。
【００３２】
ローディングされた光ディスク１００がＢＤ系列のディスクであるか否かを判断して（Ｓ２５７）、ＢＤ系列のディスクであれば、ＢＤに関連した細部ＤＤＴを行う（Ｓ２５８）。もし、ローディングされた光ディスク１００がＢＤ系列のディスクではないと判断されれば、最後にＣＤであるか否かをステップ２５９ないしステップ２６４によって判断する。
【００３３】
図２に示すように、ステップ２５０によって光ディスク１００の類型が判別されれば、制御部２は、光ディスク１００の類型が最優先順位となるように、光ディスクの類型判別のための優先順位情報をアップデートする（Ｓ２７０）。本実施形態では、ユーザーが最近に使用した類型の光ディスクを最も頻繁に使われる類型の光ディスクと仮定して、最近に使用した類型の光ディスクが最優先順位となるように、光ディスクの類型判別のための優先順位情報をアップデートする。
【００３４】
図４Ｂは、光ディスク１００の類型がＢＤである場合、アップデートされた光ディスクの類型判別のための優先順位情報が保存されたメモリ３を示す。図４Ｃは、光ディスク１００の類型がＣＤである場合、アップデートされた光ディスクの類型判別のための優先順位情報が保存されたメモリ３を示す。メモリ３のアドレス＃ｎ
４１０に保存された類型のディスクが、最優先順位を有する。次に、アドレス＃（ｎ＋１）４３０に保存された類型のディスク及びアドレス＃（ｎ＋２）４５０に保存された類型のディスクの順序に、優先順位を有する。最優先順位を除いた他の順位は、多様な方法によって決定されうる。例えば、最優先順位に該当するディスクがＢＤであれば、第２順位はＤＶＤ、第３順位はＣＤに固定することもある。しかし、前述した方法に限定されず、多様な方法によって決定されうる。
【００３５】
図５は、本発明の他の実施形態による光ディスク類型の決定方法のフローチャートである。図２に示した実施形態による光ディスク類型の決定方法は、ユーザーが最近に使用した類型の光ディスクが最優先順位となるように、光ディスクの類型判別のための優先順位情報をアップデートする。しかし、本実施形態による光ディスク類型の決定方法は、データ記録及び／または再生装置にローディングされた光ディスクの類型別頻度に基づいて作成された光ディスクの類型判別のための優先順位によって、光ディスクの類型を判別する。メモリ３には、光ディスクの類型別にローディングされた頻度情報、及びその頻度情報に基づいて作成された光ディスクの類型判別のための優先順位が保存されている。
【００３６】
図５を参照して、本発明の他の実施形態による光ディスク類型の決定方法を詳細に説明する。
【００３７】
データ記録及び／または再生装置に光ディスク１００がローディングされれば（Ｓ５１０）、制御部２は、メモリ３に保存された光ディスクの類型別にローディングされた頻度に基づいて作成された光ディスクの類型判別のための優先順位に関する情報を読み出す（Ｓ５３０）。
【００３８】
制御部２は、メモリ３から読み出した前記優先順位情報によってローディングされた光ディスク１００の類型を判別する（Ｓ５５０）。光ディスク１００の類型判別過程の具体的な例は、図３に示すとおりである。
【００３９】
ステップ５５０によって光ディスク１００の類型が判別されれば、制御部２は、光ディスクの類型別にローディングされた頻度情報、及びその頻度情報に基づいて作成された光ディスクの類型判別のための優先順位情報をアップデートした後、アップデートされた情報をメモリ３に保存する（Ｓ５７０）。
【００４０】
図６は、本発明のさらに他の実施形態による光ディスク類型の決定方法のフローチャートである。本実施形態による光ディスク類型の決定方法は、最近にデータ記録及び／または再生装置にローディングされて使われた光ディスクであるほど、高い加重値が付与された光ディスク使用来歴に関する情報をメモリ３に保存し、その光ディスク使用来歴に関する情報に基づいて決定された光ディスクの類型判別の優先順位によって、現在ローディングされた光ディスクの類型を判別する。
【００４１】
図６を参照して、本発明のさらに他の実施形態による光ディスク類型の決定方法を詳細に説明する。
【００４２】
データ記録及び／または再生装置に光ディスク１００がローディングされれば（Ｓ６１０）、制御部２は、メモリ３に保存された光ディスク使用来歴に関する情報に基づいて作成された光ディスクの類型判別のための優先順位に関する情報を読み出す（Ｓ６３０）。
【００４３】
図７は、本発明の一実施形態による光ディスク使用来歴に関する情報の一例を示す図である。メモリ３のＡｄｄｒｅｓｓ＃１に保存されたディスクが、最近にローディングされて使われたディスクであり、アドレスが増加するほど長く使われたディスクである。Ａｄｄｒｅｓｓ＃１ないしＡｄｄｒｅｓｓ＃ｋには、それぞれ加重値ｗ（１）ないしｗ（ｋ）が割り当てられる。加重値ｗ（１）の値が最も大きく、加重値ｗ（ｋ）の値が最も小さい。すなわち、最近に使われたディスクであるほど高い加重値が付与される。制御部２は、図７に示すような光ディスク使用来歴に関する情報を参照して、光ディスクの類型判別のための優先順位を決定する。すなわち、ディスク類型がＢＤに該当するあらゆる加重値を加算して、ＢＤに対する加重値の和を求める。同様に、ＤＶＤ及びＣＤに対する加重値の和をそれぞれ求めた後、三つの加重値の和の大きさを比較して、光ディスクの類型判別のための優先順位を決定する。決定された優先順位は、図４Ａないし図４Ｃに示すようにメモリ３の特定アドレスに保存される。
【００４４】
制御部２は、メモリ３から読み出した前記優先順位情報によってローディングされた光ディスク１００の類型を判別する（Ｓ６５０）。光ディスク１００の類型判別過程の具体的な例は、図３に示すようである。
【００４５】
ステップ６５０によって光ディスク１００の類型が判別されれば、制御部２は、前述した光ディスク使用来歴に関する情報、及びその使用来歴に関する情報に基づいて光ディスクの類型判別のための優先順位情報をアップデートした後、そのアップデートされた優先順位情報をメモリ３の特定アドレスに保存する（Ｓ６７０）。
【００４６】
本発明は、また、コンピュータで読み取り可能な記録媒体にコンピュータで読み取り可能なコードとして具現することが可能である。コンピュータで読み取り可能な記録媒体は、コンピュータシステムにより読み取られるデータが保存されるあらゆる類型の記録装置を含む。コンピュータで読み取り可能な記録媒体の例としては、ＲＯＭ、ＲＡＭ、ＣＤ−ＲＯＭ、磁気テープ、フロッピー（登録商標）ディスク、光データ記録装置などがあり、またキャリアウェーブ（例えば、インターネットを通じた伝送）の形態で具現されるものも含む。また、コンピュータで読み取り可能な記録媒体は、ネットワークで連結されたコンピュータシステムに分散され、分散方式でコンピュータで読み取り可能なコードで保存されて実行されうる。
【００４７】
これまで、本発明について、その望ましい実施形態を中心に述べた。当業者は、本発明が、本発明の本質的な特性から逸脱しない範囲で、変形された形態に具現可能であるということを理解できるであろう。本発明の範囲は、前述した説明ではなく、特許請求の範囲に表れており、それと同等な範囲内にあるあらゆる差異点は、本発明に含まれていると解釈されねばならない。
【産業上の利用可能性】
【００４８】
本発明は、光ディスクの類型判別方法及びデータ記録及び／または再生装置に関連の技術分野に適用可能である。
【図面の簡単な説明】
【００４９】
【図１】本発明の一実施形態によるデータ記録及び／または再生装置のブロック図である。
【図２】本発明の一実施形態による光ディスク類型の決定方法のフローチャートである。
【図３】本発明の一実施形態による光ディスク類型の判別過程の一例を示すフローチャートである。
【図４Ａ】本発明の一実施形態による最初の光ディスクの類型判別のための優先順位情報が保存されたメモリを示す図である。
【図４Ｂ】本発明の一実施形態によるアップデートされた光ディスクの類型判別のための優先順位情報が保存されたメモリを示す図である。
【図４Ｃ】本発明の他の実施形態によるアップデートされた光ディスクの類型判別のための優先順位情報が保存されたメモリを示す図である。
【図５】本発明の他の実施形態による光ディスク類型の決定方法のフローチャートである。
【図６】本発明のさらに他の実施形態による光ディスク類型の決定方法のフローチャートである。
【図７】本発明の一実施形態による光ディスク使用来歴に関する情報の一例を示す図である。
【符号の説明】
【００５０】
１      書き込み／読み出し部
２      制御部
３      メモリ
１００  光ディスク
【図１】
2006054038.tif 000003
【図２】
2006054038.tif 000004
【図３】
2006054038.tif 000005
【図４Ａ】
2006054038.tif 000006
【図４Ｂ】
2006054038.tif 000007
【図４Ｃ】
2006054038.tif 000008
【図５】
2006054038.tif 000009
【図６】
2006054038.tif 000010
【図７】
2006054038.tif 000011